(57)【要約】【課題】文書表示システムにおいて、文書の表示内容を複数の表示装置に振り分ける際の振り分けに要する手間を軽減する。【解決手段】画像表示システムにおいて、複数の電子ペーパーを用いた文書の表示が実現される。文書の或る部分の表示が指示されると、電子ペーパー１Ａでは、当該指示された部分が表示される。そして、他の電子ペーパー（電子ペーパー１Ｂ，１Ｃ）では、当該指示された部分と関連する部分が表示される。【選択図】図１
2012243030.tif 000002
【特許請求の範囲】
【請求項１】
複数の電子ペーパーからなる表示システムを構成する電子ペーパーであって、
文書および前記文書に対する解析結果を記憶するための記憶手段と、
前記文書の表示に関する指示を受付けるための入力手段と、
前記入力手段が前記文書の一部を表示する指示を受付けた場合に、前記表示システムにおける他の電子ペーパーに対して、前記文書のうち前記解析結果において前記一部と関連付けられている部分の表示を指示するための指示手段とを備える、電子ペーパー。
【請求項２】
前記解析結果は、前記文書のインデックスデータであり、
前記一部と関連付けられている部分は、前記一部において参照される図表である、請求項１に記載の電子ペーパー。
【請求項３】
自機において前記解析結果を表示させる制御手段をさらに備え、
前記指示手段は、前記入力手段が前記文書の一部を表示する指示を受付けた場合に、
前記表示システムにおける第１の電子ペーパーに対して、前記一部の表示を指示し、
前記表示システムにおける第２の電子ペーパーに対して、前記解析結果において前記一部と関連付けられている部分の表示を指示する、請求項１または請求項２に記載の電子ペーパー。
【請求項４】
前記解析結果は、前記文書に、当該文書における参照資料の提供場所を特定する情報を含み、
前記指示手段は、前記提供場所と通信することにより前記参照資料を取得し、当該参照資料を、前記表示システムにおける他の電子ペーパーに送信する、請求項１または請求項２に記載の電子ペーパー。
【請求項５】
前記表示システムを構成する各電子ペーパーの表示装置の、当該表示装置の表示面に沿う面についての位置である第１の位置と、当該表示装置の表示面に交わる方向についての位置である第２の位置とを取得するための取得手段とを備え、
前記指示手段は、前記取得手段が取得した各電子ペーパーの表示装置の位置に基づいて、表示装置の位置が他の電子ペーパーの表示装置より表示に関する前側に重なって位置すると判断された電子ペーパーに対して、透過モードで表示を行なうように指示する、請求項１〜請求項４のいずれかに記載の電子ペーパー。
【請求項６】
複数の電子ペーパーからなる表示システムを構成する電子ペーパーのコンピュータにおいて実行される制御プログラムであって、
前記コンピュータを、
文書および前記文書に対する解析結果を記憶するための記憶手段、
前記文書の表示に関する指示を受付けるための入力手段、および、
前記入力手段が前記文書の一部を表示する指示を受付けた場合に、前記表示システムにおける他の電子ペーパーに対して、前記文書のうち前記解析結果において前記一部と関連付けられている部分の表示を指示するための指示手段として機能させる、電子ペーパーの制御プログラム。
【請求項７】
複数の電子ペーパーと画像処理装置とからなる表示システムであって、
前記画像処理装置は、
文書を解析するための解析手段と、
前記解析手段による解析結果に基づいて、前記文書を複数の部分に分割するための分割手段とを含み、
前記解析手段による解析結果は、前記複数の部分を互いに関連付け、
前記画像処理装置は、
前記解析結果における関連付けに基づいて、各前記部分と各前記電子ペーパーとを対応付けるための情報である対応関係情報を生成するための振分手段と、
各前記電子ペーパーに、前記対応関係情報と、当該対応関係情報において当該電子ペーパーに対応付けられた前記部分とを送信するための送信手段とを含み、
前記電子ペーパーは、
情報を表示するための表示手段と、
前記送信手段から送信された前記部分の表示の指示を受付けるための受付手段と、
前記受付手段が前記部分の表示の指示を受付けた場合に、前記表示手段に当該部分を表示させ、さらに、前記解析結果において当該部分が関連付けられる部分の表示を、前記対応関係情報において当該関連付けられる部分が対応する電子ペーパーに対して指示するための制御手段とを含む、表示システム。
【発明の詳細な説明】
【技術分野】
【０００１】
本発明は、電子ペーパー、および、複数の電子ペーパーを備える表示システムに関する。
【背景技術】
【０００２】
従来から、Ｗｅｂページ等の画像を、複数の表示装置に分けて表示するための技術が提案されている。
【０００３】
たとえば、特許文献１（特開２００７−３３３７９７号公報）には、複数枚の電子表示シートに画像を表示させるシステムにおいて、表示させる全体の画像から当該画像のインデックスを生成し、最初のページに対応する電子表示シートに当該インデックスを表示させる技術が開示されている。
【０００４】
また、特許文献２（特開２００６−０３９８３４号公報）には、複数の電子ペーパーと通信するフォルダ式データ処理装置において、各電子ペーパーから取得したコンテンツデータのサムネイル画像を生成して、サムネイル画像で表示されたコンテンツと転送先とを選択することにより、コンテンツデータを転送等する技術が開示されている。
【０００５】
また、特許文献３（特開２００４−１１０５２５号公報）には、異なるアプリケーションで作成された複数の画像データを１つの電子バインダシステムとして管理する技術が開示されている。
【先行技術文献】
【特許文献】
【０００６】
【特許文献１】特開２００７−３３３７９７号公報
【特許文献２】特開２００６−０３９８３４号公報
【特許文献３】特開２００４−１１０５２５号公報
【発明の概要】
【発明が解決しようとする課題】
【０００７】
しかしながら、コンテンツのような画像を、複数の、電子ペーパーのような表示装置に振り分けて表示させる場合、その振り分けの作業に手間を要するという課題があった。
【０００８】
本発明は、かかる実情に鑑み考え出されたものであり、その目的は、文書表示システムにおいて、文書の表示内容を複数の表示装置に振り分ける際の振り分けに要する手間を軽減することである。
【課題を解決するための手段】
【０００９】
本発明に従った電子ペーパーは、複数の電子ペーパーからなる表示システムを構成する電子ペーパーであって、文書および文書に対する解析結果を記憶するための記憶手段と、文書の表示に関する指示を受付けるための入力手段と、入力手段が文書の一部を表示する指示を受付けた場合に、表示システムにおける他の電子ペーパーに対して、文書のうち解析結果において一部と関連付けられている部分の表示を指示するための指示手段とを備える。
【００１０】
好ましくは、解析結果は、文書のインデックスデータであり、一部と関連付けられている部分は、一部において参照される図表である。
【００１１】
好ましくは、自機において解析結果を表示させる制御手段をさらに備え、指示手段は、入力手段が文書の一部を表示する指示を受付けた場合に、表示システムにおける第１の電子ペーパーに対して、一部の表示を指示し、表示システムにおける第２の電子ペーパーに対して、解析結果において一部と関連付けられている部分の表示を指示する。
【００１２】
好ましくは、解析結果は、文書に、当該文書における参照資料の提供場所を特定する情報を含み、指示手段は、提供場所と通信することにより参照資料を取得し、当該参照資料を、表示システムにおける他の電子ペーパーに送信する。
【００１３】
好ましくは、表示システムを構成する各電子ペーパーの表示装置の、当該表示装置の表示面に沿う面についての位置である第１の位置と、当該表示装置の表示面に交わる方向についての位置である第２の位置とを取得するための取得手段とを備え、指示手段は、取得手段が取得した各電子ペーパーの表示装置の位置に基づいて、表示装置の位置が他の電子ペーパーの表示装置より表示に関する前側に重なって位置すると判断された電子ペーパーに対して、透過モードで表示を行なうように指示する。
【００１４】
本発明に従った制御プログラムは、複数の電子ペーパーからなる表示システムを構成する電子ペーパーのコンピュータにおいて実行される制御プログラムであって、コンピュータを、文書および文書に対する解析結果を記憶するための記憶手段、文書の表示に関する指示を受付けるための入力手段、および、入力手段が文書の一部を表示する指示を受付けた場合に、表示システムにおける他の電子ペーパーに対して、文書のうち解析結果において一部と関連付けられている部分の表示を指示するための指示手段として機能させる。
【００１５】
本発明に従った表示システムは、複数の電子ペーパーと画像処理装置とからなる表示システムであって、画像処理装置は、文書を解析するための解析手段と、解析手段による解析結果に基づいて、文書を複数の部分に分割するための分割手段とを含み、解析手段による解析結果は、複数の部分を互いに関連付け、画像処理装置は、解析結果における関連付けに基づいて、各部分と各電子ペーパーとを対応付けるための情報である対応関係情報を生成するための振分手段と、各電子ペーパーに、対応関係情報と、当該対応関係情報において当該電子ペーパーに対応付けられた部分とを送信するための送信手段とを含み、電子ペーパーは、情報を表示するための表示手段と、送信手段から送信された部分の表示の指示を受付けるための受付手段と、受付手段が部分の表示の指示を受付けた場合に、表示手段に当該部分を表示させ、さらに、解析結果において当該部分が関連付けられる部分の表示を、対応関係情報において当該関連付けられる部分が対応する電子ペーパーに対して指示するための制御手段とを含む。
【発明の効果】
【００１６】
本発明によれば、複数の電子ペーパーにおいて、互いに関連した情報が表示される。
これにより、コンテンツの表示内容を複数の表示装置に振り分ける作業をユーザに課すことなく、複数の電子ペーパー間で関連した情報を表示させることができる。
【図面の簡単な説明】
【００１７】
【図１】本発明の一実施の形態である文書表示システムの構成を示す図である。
【図２】図１のＭＦＰ（Multi  Function  Peripheral）のハードウェア構成の一例を示す図である。
【図３】図１のＭＦＰの機能的構成の一例について説明するためのブロック図である。
【図４】図１の電子ペーパーのハードウェア構成を示す図である。
【図５】図１の電子ペーパーの機能ブロック図である。
【図６】文書の構造の一例を模式的に示す図である。
【図７】ＭＦＰにおいて実行される、目次情報の生成のための処理のフローチャートである。
【図８】ＭＦＰにおいて実行される、文書の部分を電子ペーパーに振り分けるための処理のフローチャートである。
【図９】本実施の形態の文書表示システムにおいて、複数の電子ペーパーで連動した表示を行なうために実行される処理のフローチャートである。
【図１０】本実施の形態の電子ペーパーにおける表示内容を説明するための図である。
【図１１】本実施の形態の電子ペーパーにおける表示内容を説明するための図である。
【図１２】本実施の形態の電子ペーパーにおける表示内容を説明するための図である。
【図１３】本実施の形態の電子ペーパーにおける表示内容を説明するための図である。
【図１４】本実施の形態の電子ペーパーにおける表示内容を説明するための図である。
【図１５】本実施の形態の電子ペーパーにおける表示内容を説明するための図である。
【図１６】本実施の形態の電子ペーパーにおける表示内容を説明するための図である。
【図１７】本実施の形態の電子ペーパーにおける表示内容を説明するための図である。
【図１８】本実施の形態の電子ペーパーにおける表示内容を説明するための図である。
【図１９】本実施の形態の電子ペーパーにおける表示内容を説明するための図である。
【発明を実施するための形態】
【００１８】
以下、本発明の実施の形態おける文書表示システムについて、図面を参照して説明する。
【００１９】
＜文書表示システムの概要＞
本実施の形態における文書表示システムは、コンテンツの構造が解析され、当該解析結果に基いてコンテンツが分割され、そして、当該分割されたコンテンツが、解析結果において関連付けられた部分が互いに異なる電子ペーパーに蓄積されるように、複数の電子ペーパーに分散される。
【００２０】
図１は、文書表示システムの構成を示す図である。
文書表示システムは、コンテンツサーバーとして機能するＰＣ３と、画像処理装置の一例としてのＭＦＰ１００と、携帯表示装置の一例としての電子ペーパー１Ａ，１Ｂ，１Ｃとを備える。本明細書では、適宜、電子ペーパー１Ａ，１Ｂ，１Ｃを総称して「電子ペーパー１」という。
【００２１】
電子ペーパー１は、電力なしで半永久的に表示が可能であり、書換え時のみ、微量の電力を使うデバイスである（他の薄型ディスプレイ（ＰＤＰ）では３００〜３５０ワットほど消費するのに対し、４０型のもので１回の書換えに３ワットの消費）。また、微弱な電波のエネルギーを用い、無線で電子ペーパーの書き換えが可能である。
【００２２】
電子ペーパーは、薄くて軽く（厚さ０．８ｍｍ程度、４０型のもので重さ４８０ｇ程度）、曲げられるという特徴を有している。
【００２３】
ＭＦＰ１００は、コピー、ネットワークプリンティング、スキャナ、ＦＡＸ、またはドキュメントサーバなどの機能を集約した画像形成装置であり、複合機などと呼ばれることもある。ＭＦＰ１００は、操作部１１と、ディスプレイ部１２と、ドキュメントフィーダ１７と、排紙トレイ１９とを備えている。また、ＨＤＤ２３と、通信インターフェース１６とを内蔵する。
【００２４】
電子ペーパー１Ａ〜１Ｃのそれぞれは、操作スイッチなどからなる操作部５０と、メモリ性を有する液晶を用いた液晶表示デバイス５５と、後に図４で説明する制御部とを備えている。また、電子ペーパー１Ａ〜１Ｃのそれぞれは、それぞれの端末固有のＩＤ、およびメモリ９（図４参照）に格納しているファイルのファイル情報を記憶する記憶部５３（ＩＣタグなど）を内蔵している。
【００２５】
サーバ３は、コンテンツサーバとして機能する情報処理装置であり、たとえば、通信機能を備えた汎用のコンピュータによって実現される。
【００２６】
＜ＭＦＰのハードウェア構成＞
図２は、ＭＦＰ１００のハードウェア構成の一例を示す図である。
【００２７】
ＭＦＰ１００は、操作部１１、ディスプレイ部１２、スキャナ部１３、プリンタ部１４、通信インターフェース１６、ドキュメントフィーダ１７、給紙装置１８、ＣＰＵ２０、ＲＯＭ２１、ＲＡＭ２２、ハードディスク２３、ユーザ認証部２４、および無線通信制御部２６などによって構成される。
【００２８】
操作部１１は、数字、文字、および記号などを入力するための複数のキー、押下されたキーを認識するセンサ、ならびに認識したキーを示す信号をＣＰＵ２０に送信する送信用回路などによって構成される。
【００２９】
ディスプレイ部１２は、ユーザに対してメッセージを表示する画面、ユーザが設定内容や処理内容を入力するための画面、およびＭＦＰ１００で実行された処理の結果を示す画面などを表示する。本実施の形態ではディスプレイ部１２にタッチパネルが用いられており、これは操作部１１に含まれる。タッチパネルは、ユーザが指で触れたタッチパネル上の位置を検知し、検知結果を示す信号をＣＰＵ２０に送信する機能を備えている。
【００３０】
スキャナ部１３は、原稿に描かれている画像を光電的に読み取って、デジタルの画像データ（ここでは、ＲＧＢまたはブラックの濃度を表す濃度データ）を生成する。このようにして得られた画像データは、プリンタ部１４において印刷のために用いられるほか、ＴＩＦＦ、ＰＤＦ、ＪＰＥＧなどのフォーマットのファイルに変換されてハードディスク２３に記憶される。これらデータは、ＦＡＸデータに変換されてＦＡＸ送信に供されることもある。
【００３１】
ドキュメントフィーダ１７は、ＭＦＰ１００の本体の上部に設けられており、１枚または複数枚の原稿をスキャナ部１３に順次送るために用いられる。
【００３２】
プリンタ部１４は、スキャナ部１３にて読取られた画像、ＬＡＮ（ローカルエリアネットワーク）等のネットワークを介して接続されたＰＣ（パーソナル・コンピュータ）等の外部装置から送信されてきたデータの画像、またはＦＡＸ受信したＦＡＸデータの画像を、用紙またはフイルムなどの記録シートに印刷する。
【００３３】
給紙装置１８は、ＭＦＰ１００本体の下部に設けられており、印刷対象の画像に適した記録シートをプリンタ部１４に供給するために用いられる。プリンタ部１４によって画像が印刷された記録シートはトレイ１９に排出される。
【００３４】
通信インターフェース１６は、ＰＣ等の外部装置とネットワークを介して通信を行ったり、電話回線を通じてＦＡＸ送受信等を行なうための装置である。通信インターフェース１６として、ＮＩＣ（ネットワーク・インターフェース・カード）、モデム、ＴＡ（ターミナル・アダプタ）、無線通信（Ｂｌｕｅｔｏｏｔｈなど）装置などが用いられる。
【００３５】
ＲＯＭ２１には、画像の読取（スキャン）、原稿の複写（コピー）、ＦＡＸデータの送受信、ネットワークプリンティング、およびドキュメントサーバ（ボックス機能）などのＭＦＰ１００の基本機能を実現するためのプログラムやデータが記憶されている。またＲＯＭ２１には、本発明を実施するための機能を実現するプログラムおよびデータが記憶されている。これらのプログラムまたはデータの一部または全部を、ハードディスク２３にインストールしておいてもよい。この場合は、ハードディスク２３にインストールされているプログラムまたはデータは、必要に応じてＲＡＭ２２にロードされる。
【００３６】
本実施の形態で説明する機能は、必ずしもＣＰＵ２０だけでなく、専用ハードウェアを利用したり、一部はオペレーティングシステム（ＯＳ）等の汎用プログラムの機能を利用して実現することもできる。また、ＲＯＭ２１やＲＡＭ２２として、不揮発性の半導体メモリを用いることもできる。
【００３７】
＜ＭＦＰの機能構成＞
図３は、ＭＦＰ１００の機能的構成の一例について説明するためのブロック図である。
【００３８】
ＭＦＰ１００は、ネットワークを介してＰＣ３や電子ペーパー１と通信するためのインターフェースとして機能するネットワークインターフェース部１０５と、コンテンツ等の文書や種々のデータを格納する文書・データ格納部１０３と、文書の構造を解析する文書解析部１０１と、文書解析部１０１による解析結果を格納する解析結果格納部１０２と、データ振分部１０４とを含む。データ振分部１０４は、上記解析結果に基いて文書を分割し、そして、分割された文書を、文書表示システムを構成する複数の電子ペーパー１に振り分けて格納するための情報を生成する。
【００３９】
ネットワークインターフェース部１０５は、通信インターフェース１６によって実現される。また、文書解析部１０１、および、データ振分部１０４は、たとえば、ＣＰＵ２０がＲＯＭ２１に格納されたプログラムを実行することにより、実現される。解析結果格納部１０２、および、文書・データ格納部１０３は、たとえばハードディスク２３によって実現される。
【００４０】
＜電子ペーパーのハードウェア構成＞
図４は、電子ペーパー１のハードウェア構成を示す図である。なお、電子ペーパー１Ａ，１Ｂ，１Ｃのハードウェア構成は、いずれも図４に示されたものとすることができる。
【００４１】
電子ペーパー１は、制御部として、ＣＰＵ７と、メモリ９と、表示装置４と、センサ制御部５と、操作スイッチ６と、クロック回路８と、外部インターフェース１０と、ケーブル通信ユニット３１と、無線通信ユニット３２と、タイマー制御部３３と、加速度センサを含む各種センサ３８とを備えている。
【００４２】
ＣＰＵ７は、操作スイッチ６からの指示や外部インターフェース１０（ケーブル通信ユニット３１および無線通信ユニット３２も含む）からの入力命令に基づいて各部を制御する。表示装置４は、液晶表示デバイス５５（図１）に画像を表示させるための制御を行なう。メモリ９は、少なくとも１画像分の表示用のデータを記憶する。メモリ９には、さらにＣＰＵ７の動作プログラムなどが格納される。
【００４３】
センサ制御部５は、例えば加速度センサの制御を行なう。タイマー制御部３３は、メモリ９に設定される設定値までタイマーカウンタをカウントアップしたり、カウント値のクリアなどの制御を行なう。
【００４４】
外部インターフェース１０およびケーブル通信ユニット３１は、ＬＡＮなどのネットワーク、拡張カードなどの外部機器、または情報記憶メディアとの接続を確立するものである。無線通信ユニット３２は、無線ＩＣタグのリード・ライト命令に対するデータ送受信や、BlueToothなどを用いた無線通信による電子ペーパーへのリード・ライト命令に対するデータ送受信を行なうものである。
【００４５】
電子ペーパー１において、操作スイッチ６は、液晶表示デバイス５５に重ねられて設けられるシート状のタッチセンサを含んでいても良い。この場合、当該タッチセンサと液晶表示デバイス５５とによって、タッチスクリーンが構成される。
【００４６】
＜電子ペーパーの機能構成＞
図５は、電子ペーパー１の機能ブロック図である。
【００４７】
電子ペーパー１は、ＭＦＰ１００やＰＣ３、または、他の電子ペーパーと通信するためのインターフェースである通信部６４と、外部からの情報の入力を受付ける操作部６５と、コンテンツ等の文書や種々のデータを記憶する文書・データ格納部６３と、表示対象となる文書を選択するための表示選択部６２と、情報を表示する表示部６１とを含む。表示選択部６２は、操作部６５が受付けた情報に基づいて、文書を選択する。
【００４８】
表示部６１は、表示装置４によって実現される。通信部６４は、外部インターフェース１０、無線通信ユニット３２、および／または、ケーブル通信ユニット３１によって実現される。操作部６５は、操作スイッチ６によって実現される。表示選択部６２は、たとえばＣＰＵ７がメモリ９に格納されたプログラムを実行することにより、実現される。
【００４９】
＜目次情報＞
本実施の形態では、文書の構造が解析される。解析は、文書が、たとえばＸＭＬ（Extensible Markup Language）形式で記載されている場合には、ＸＭＬファイルについての公知の構文解析技術により実現される。また、文書がＰＤＦ（Portable Document Format）の場合には、フォントの大きい文字を見出しとみなす等の、公知の技術に基づく構造解析技術により実現される。
【００５０】
本明細書では、文書の構造解析の結果として得られる階層構造を、［１］，［２］のように、大括弧を付して表す。具体的には、文書における第１階層（いわゆる「章」に相当するようなもの）を［１］，［２］のように、１文字で表し、第２階層（いわゆる「セクション」のようなもの）を［１−１］，［１−２］，［２−１］のように第１階層を表す文字の次に第２階層の区分を表す文字を含むように表す。なお、本実施の形態では、第２階層は、第１階層の本文において参照される図表を含むものとする。また、本明細書では、各階層の要素を「インデックス」と呼ぶ。
【００５１】
本実施の形態では、文書の構造解析がなされた後、各インデックスごとに文書のデータが分割される。そして、各インデックスは、そのタイトル、および、当該インデックスに対応する部分のデータと関連付けられる。このような関連付けを、本明細書では、「目次情報」という。ここで、目次情報の一例について説明する。図６は、文書の構造の一例を模式的に示す図である。図６に示す構造を有する文書についての目次情報の一例を、表１に模式的に示す。
【００５２】
【表１】
2012243030.tif 000003
【００５３】
まず図６を参照して、文書７００は、第１章の本文に対応する部分７０１と、第１章の本文が参照する図に対応する部分７０２と、第２章の本文に対応する部分７０３とを含む。部分７０３には、第２章の本文が参照する文書の所在（ＵＲＬ（Uniform  Resource  Locator））が含まれる。
【００５４】
表１では、インデックスが、タイトルとデータ格納場所に関連付けられている。表１中のインデックス［１］は、部分７０１に対応する。また、インデックス［１−１］，［２］は、それぞれ、部分７０２，７０３に対応する。そして、インデックス［２−１］，［２−２］は、部分７０３において参照されているＵＲＬに対応する。なお、インデックスが生成される場合、文書において、「http://」等のように資料の参照先を表す文字列や、「参照図」等のように図表を参照することを示す文字列が検出されると、独立したインデックスとして、参照図や参照資料のタイトルを付されたインデックスが生成される。
【００５５】
各インデックスのタイトルは、たとえば各インデックスに対応する部分の一行目に記載された文字列が抽出されることによって生成される。また、インデックスの部分が図表である場合には、たとえば、当該インデックスの一段階上の階層のタイトルに所定の処理が施されたものがタイトルとされる。具体的には、第１階層［１］において参照される１つ目の図表であるインデックス［１−１］に対しては、インデックス［１］の「本文（１）」に対して、「本文」という文字列の代わりに「参照図」という文字列が付されて「参照図（１）」というタイトルが生成される。
【００５６】
各インデックスのデータ格納場所（表１では、「loc01」「loc02」「loc03」「loc04」「loc05」と表記）は、文書データが上記のように分割されたときの、分割されたデータの格納場所とされる。インデックスがＵＲＬに対応する場合には、格納場所は、ＵＲＬとされても良いし、当該ＵＲＬからデータが取得されたときの格納場所とされても良い。
【００５７】
＜関連情報＞
本実施の形態では、１の文書の表示に複数の電子ペーパーが利用される。
【００５８】
具体的には、１の電子ペーパーに対して１の文書の中の１のインデックスの表示の指示がなされると、当該１の電子ペーパーでは当該指示されたインデックスに対応する部分が表示され、そして、他の電子ペーパーには、当該部分に関連する部分が表示される。本明細書では、部分同士の関連を表す情報を、関連情報という。関連情報の一例を、表２に示す。
【００５９】
【表２】
2012243030.tif 000004
【００６０】
表２では、表示を示されたインデックスが、当該指示があった場合に、第１電子ペーパー、第２電子ペーパー、第３電子ペーパーのそれぞれにおいて表示されるべきインデックスと関連付けられて示されている。
【００６１】
たとえば、インデックス［１］の表示が指示された場合、第１電子ペーパーに表示されるべきインデックスとして「しおり」が、第２電子ペーパーに表示されるべきインデックスとしてインデックス［１］が、第３電子ペーパーに表示されるべきインデックスとしてインデックス［１−１］が、関連付けられている。
【００６２】
なお、「しおり」とは、各インデックスを、そのタイトル（表１）を含む情報として表示する内容である。
【００６３】
関連情報では、複数の電子ペーパーにおいて、互いに関連した情報が表示されるように、各電子ペーパーに表示されるインデックスが登録されている。
【００６４】
具体的には、表２において、インデックス［１］の表示指示が入力された場合、第２電子ペーパーにはインデクス［１］の部分が表示され、そして、第３電子ペーパーには、当該インデックス［１］に対して１つ階層の低いインデックス［１−１］が表示される。なお、インデックス［１−１］は、表１の例では、インデックス［１］の本文において参照される図面に対応している。つまり、表２の例では、第２電子ペーパーに、文書の第１章（インデックス［１］）が表示されているときに、同時に、第３電子ペーパーでは、当該第１章において参照されている図面（インデックス［１−１］）が表示される。
【００６５】
また、インデックス［２］の表示指示が入力された場合、第２電子ペーパーにはインデクス［２］の部分が表示され、そして、第３電子ペーパーには、当該インデックス［２］に対して１つ階層の低いインデックス［２−１］が表示される。なお、インデックス［２−１］は、表１の例では、インデックス［２］の本文に記載されるＵＲＬから取得された資料に対応している。つまり、表２の例では、第２電子ペーパーに、文書の第２章（インデックス［２］）が表示されているときに、同時に、第３電子ペーパーでは、当該第２章において参照されているＵＲＬから取得された参照資料（図５の部分３において１つ目に挙げられたＵＲＬに対応する資料であって、インデックス［２−１］に対応する資料）が表示される。
【００６６】
なお、表２から理解されるように、第２電子ペーパーには、インデックス［２］に対応する部分とインデックス［２−２］が組み合わされて表示される。これは、インデックス［２］に対応する表示面積が予め定められた面積より小さいため、インデックス［２］と同じ章内の資料（インデックス［２］の下位に属するに対応する資料）であるインデックス［２−２］と組み合わされて、表示される。つまり、本実施の形態では、インデックスに対応するデータの表示面積が予め定められた面積より小さいか否かに応じて、他のインデックスと組み合わされて表示されるか否かが決定される。
【００６７】
また、表２において、「［２］＋［２−２］」と記載されているのは、インデックス［２］とインデックス［２−２］とが組合わされて表示されることを意味する。
【００６８】
＜文書の表示＞
以下、本実施の形態の文書表示システムにおいて、複数の電子ペーパーを用いた文書の表示が行なわれるための処理について、説明する。
【００６９】
（目次情報の生成）
図７は、ＭＦＰ１００において実行される、目次情報の生成のための処理のフローチャートである。図７の処理は、たとえばＣＰＵ２０がＲＯＭ２１に格納されたプログラムを実行することにより、実現される。
【００７０】
図７を参照して、まずステップＳＡ１０において、文書解析部１０１が、ＭＦＰ１００において格納された文書の中で、解析の対象とする文書を選択する情報の入力を受付ける。操作部１１に対して、選択する情報が入力されると、ステップＳＡ２０へ処理が進められる。
【００７１】
ステップＳＡ２０では、文書解析部１０１は、文書・データ格納部１０３から、選択された文書を取得して（読み込んで）、ステップＳＡ３０へ処理を進める。なお、文書は、ネットワークを介して他の装置からダウンロードされて文書・データ格納部１０３に格納されても良いし、スキャナ部１３において原稿が読み込まれることによってＰＤＦデータ等のデータを生成されたものが文書・データ格納部１０３に格納されても良い。
【００７２】
ステップＳＡ３０では、文書解析部１０１は、ステップＳＡ２０で取得した文書の構造解析を行なって、ステップＳＡ４０へ処理を進める。これにより、処理対象となった文書のインデックスが生成される。
【００７３】
ステップＳＡ４０では、文書解析部１０１は、ステップＳＡ３０で生成されたインデックスを用いて、処理対象となった文書の目次情報を生成して、ステップＳＡ５０へ処理を進める。生成された目次情報は、解析結果格納部１０２に格納される。
【００７４】
ステップＳＡ５０では、文書解析部１０１は、インデックスの格納場所がＵＲＬ等のデータの参照先を表す情報である場合、当該参照先からデータをサーバ３等からダウンロードして取得して、ステップＳＡ６０へ処理を進める。取得されたデータは、文書・データ格納部１０３に記憶される。なお、このようにデータを取得すると、文書解析部１０１は、目次情報において、当該インデックスのデータ格納場所を、ダウンロードされたデータの格納場所へと変更する。
【００７５】
なお、ＭＦＰ１００では、設定により、後述するステップＳＡ１４０において参照先の図表のデータをダウンロードするようにしても良い。この場合には、ステップＳＡ５０の処理は省略される。また、後述するステップＳＡ１４０の処理は、ステップＳＡ５０においてダウンロードに失敗した場合の予備的な処理として実行されても良い。
【００７６】
以上、図７を参照して説明した処理によれば、選択された文書について、構造解析がなされ、目次情報が生成され、そして、他の参照する資料がダウンロードされる。
【００７７】
（文書の部分の振分）
ＭＦＰ１００において、図７を参照して説明したように、文書についての目次情報が生成された後、電子ペーパー１において表示させるための操作がなされると、ＭＦＰ１００では、文書についての複数の部分を各電子ペーパーに振り分けて送信する。図８は、ＭＦＰ１００において実行される、文書の部分を電子ペーパーに振り分けるための処理のフローチャートである。なお、図８の処理は、たとえばＣＰＵ２０がＲＯＭ２１に格納されたプログラムを実行することにより、実現される。
【００７８】
図８を参照して、まずステップＳＡ１１０において、データ振分部１０４が、ＭＦＰ１００において格納された文書の中で、電子ペーパーにおける表示の対象とする文書を選択する情報の入力を受付ける。操作部１１に対して、選択する情報が入力されると、ステップＳＡ１２０へ処理が進められる。
【００７９】
ステップＳＡ１２０では、データ振分部１０４は、ステップＳＡ１１０において選択を受付けた文書の目次情報を解析結果格納部１０２から取得して（読み込んで）、ステップＳＡ１３０へ処理を進める。
【００８０】
ステップＳＡ１３０では、データ振分部１０４は、当該文書において参照される資料を取得して、ステップＳＡ１４０へ処理を進める。ステップＳＡ１３０では、データ振分部１０４は、目次情報の格納場所としてＵＲＬが格納されている場合、当該ＵＲＬに格納されたファイルをダウンロードして、文書・データ格納部１０３に格納させる。このとき、目次情報において、対応するインデックスのデータ格納場所を、ダウンロードしたファイルの格納場所に書き換える。
【００８１】
ステップＳＡ１４０では、データ振分部１４０は、文書の表示に利用する電子ペーパーについての情報を取得して、ステップＳＡ１５０へ処理を進める。ここで取得される情報としては、たとえば、表示に利用される電子ペーパーの数や液晶表示デバイス５５の解像度が挙げられる。当該情報は、たとえば操作部１１に対する操作によって、ＭＦＰ１００へ入力される。
【００８２】
ステップＳＡ１５０では、データ振分部１４０は、ステップＳ１２０で取得した目次情報およびステップＳＡ１４０で入力を受付けた電子ペーパーの情報に基づいて関連情報（表２参照）を生成して、ステップＳＡ１６０へ処理を進める。生成された関連情報は、解析結果格納部１０２に格納される。
【００８３】
なお、ＭＦＰ１００では、関連情報の関する設定が登録されている。登録される設定内容としては、たとえば、表示に利用される電子ペーパーの数が３以上である場合には、その中の１台の電子ペーパーには文書の「しおり」が表示される、インデックスに対応する表示領域が少ない場合には適宜他のインデックスと組み合わされて表示される（たとえば、表２の「［２］＋［２−２］」）、などが考えられる。
【００８４】
ステップＳＡ１６０では、データ振分部１４０は、関連情報における振分に従って、文書のデータを分割する。たとえば、生成された関連情報が表２に示されるようなものである場合には、「しおり」のデータと、インデックス［１］，インデックス［２］，インデックス［２］とインデックス［２−２］，インデックス［１−１］，インデックス［２−１］，インデックス［２−２］のそれぞれに対応するページを表示するためのデータが生成される。生成されたデータは、文書・データ格納部１０３に格納される。しおりのデータとは、目次情報におけるインデックスを、タイトルを付して表示するための情報である。なお、このような表示用のデータの生成の後、文書・データ格納部１０３に格納されている元の文書のデータは、削除されても良いし、そのまま残されても良い。
【００８５】
そして、ステップＳＡ１６０では、データ振分部１４０は、関連情報における振分に従って、生成された各データを各電子ペーパーに送信する。たとえば、関連情報が表２のように決定された場合には、第１電子ペーパー（たとえば、電子ペーパー１Ａ）には、しおりのデータが送信される。そして、第２電子ペーパー（たとえば、電子ペーパー１Ｂ）には、インデックス［１］，インデックス［２］とインデックス［２−２］，インデックス［１−１］，インデックス［２−１］，インデックス［２−２］のそれぞれに対応するページを表示するためのデータが送信される。そして、第３電子ペーパー（たとえば、電子ペーパー１Ｃ）には、インデックス［１−１］，インデックス［２−１］，インデックス［１］，インデックス［２］のそれぞれに対応するページを表示するためのデータが送信される。
【００８６】
また、ステップＳＡ１６０では、データ振分部１４０は、各電子ペーパー１に、関連情報も送信する。
【００８７】
（文書の表示処理）
以上の処理により、文書表示システムでは、各電子ペーパーに、他の電子ペーパーと連動して文書を表示するためのデータが配分される。したがって、１の電子ペーパーに対して文書を表示するための指示が入力されると、文書表示システムを構成する複数の電子ペーパーの間で、連動した表示が実現される。なお、ＭＦＰ１００から送信された、文書の一部分（ステップＳＡ１６０で送信された、インデックス［１］を表示するためのデータ等）は、各電子ペーパー１において、文書・データ格納部６３に格納される。また、関連情報も、文書・データ格納部６３に格納される。
【００８８】
図９は、１の電子ペーパーにおいて、複数の電子ペーパーで連動した表示を行なうために実行される処理のフローチャートである。以下、電子ペーパー間での連動した表示を実現されるために１の電子ペーパーにおいて実行される処理の内容を説明する。なお、図９に示される処理は、文書表示システムにおいて、たとえば、関連情報において「第１電子ペーパー」とされた電子ペーパー１において、ＣＰＵ７がメモリ９に格納されたプログラムを実行することにより実現される。
【００８９】
図９を参照して、ステップＳＢ１０では、操作部６５が、文書・データ格納部６３に格納された文書の中から、表示の対象となる文書を選択する情報の入力を受付けて、ステップＳＢ２０へ処理を進める。
【００９０】
ステップＳＢ２０では、表示選択部６２は、ステップＳＢ１０で選択された文書について、格納された文書と関連情報とを文書・データ格納部６３から読み出して、ステップＳＢ３０へ処理を進める。
【００９１】
ステップＳＢ３０では、表示選択部６２は、文書についての初期画面を表示させて、ステップＳＢ４０へ処理を進める。ここで初期画面とは、たとえば、文書を表示する際の初期画面用に予め定められ、文書・データ格納部６３に格納されている画面であっても良いし、しおりのデータが格納されている場合にはしおりの画面であっても良い。また、しおりのデータが格納されていない場合には、たとえば、第１章の画像（インデックス［１］）であっても良い。
【００９２】
ステップＳＢ４０では、表示選択部６２は、操作部６５に対して、表示内容を変更する指示が入力されたか否かを判断し、入力されたと判断すると、ステップＳＢ５０へ処理を進める。
【００９３】
ステップＳＢ５０では、表示部６１が、操作部６５に対して入力された内容に応じて、自機の表示画面を更新して、ステップＳＢ６０へ処理を進める。ここでの表示画面の更新は、たとえば、関連情報に従って行なわれる。具体的には、たとえばこの処理が第１電子ペーパーにおいて実行されている場合には、どのような表示指示がなされても、しおりが表示される。
【００９４】
ステップＳＢ６０では、表示選択部６２は、通信部６４を介して他の電子ペーパーと通信することにより、他の電子ペーパーが使用可能か否かを判断し、使用可能であると判断すれば、ステップＳＢ７０へ処理を進め、そうではないと判断するとステップＳＢ８０へ処理を進める。
【００９５】
ここで、他の電子ペーパーとは、関連情報において、ステップＳＢ４０で指示された表示内容と関連付けられている電子ペーパーをいう。たとえば、表２の関連情報について、インデックス［１］を表示する指示がなされた場合、表２では、インデックス［１］について、第１電子ペーパーがしおりを表示するように、第２電子ペーパーがインデックス［１］を表示するように、第３電子ペーパーがインデックス［１−１］を表示するように、規定されている。この場合、第１〜第３電子ペーパーのすべてが、指示された表示内容に関連付けられていることになる。
【００９６】
ステップＳＢ７０では、表示選択部６２は、通信部６４を介して、関連情報に従って、他の電子ペーパーに、ステップＳＢ４０で指示された表示内容と関連付けられた内容の表示を指示して、ステップＳＢ９０へ処理を進める。たとえば、この処理が第１電子ペーパーにおいて実行されている場合であって、インデックス［１］の表示が指示された場合、ステップＳＢ７０では、第２電子ペーパーに対してインデックス［１］の表示を指示する情報（コマンド、等）が送信され、また、第３電子ペーパーに対してインデックス［１−１］の表示を指示する情報（コマンド、等）が送信される。
【００９７】
一方、ステップＳＢ８０では、表示選択部６２は、関連情報において、ＭＦＰ１００に対して、使用不可と判断した電子ペーパーが表示するべきデータを、他の電子ペーパーに転送することを要求して、ステップＳＢ９０へ処理を進める。たとえば、第３電子ペーパーが使用不可と判断された場合、ＭＦＰ１００に対して、第２電子ペーパーに、第３電子ペーパーが表示するデータであって第２電子ペーパーに送信されていないデータ（表２の例では、インデックス［２］とインデックス［２−２］のそれぞれを単独で表示するためのデータ）を送信することを指示する情報が送信される。
【００９８】
ステップＳＢ９０では、表示選択部６２は、操作部６５に対して、表示中の文書の表示を終了する指示が入力されたか否かを判断し、入力されていないと判断するとステップＳＢ４０へ処理を戻し、入力されたと判断すると図９の処理を終了させる。
【００９９】
以上説明した処理に従えば、初期画面として、第１電子ペーパーの液晶表示デバイス５５には、図１０（Ａ）に示す画面が表示される。図１０（Ａ）は、しおりの表示例を示している。
【０１００】
そして、第１電子ペーパーに対してインデックス［１］を表示する指示が入力されると、表２においてインデックス［１］の表示指示に対応する第２電子ペーパーの表示内容がインデックス［１］であることに基づき、第１電子ペーパーから第２電子ペーパーに、インデックス［１］を表示する指示が送られる。これに従い、第２電子ペーパーの液晶表示デバイス５５では、図１０（Ｂ）に示されるように、インデックス［１］に対応する画面が表示される。なお、図１０（Ｂ）に示された画面は、図６の部分７０１に対応する。
【０１０１】
また、第１電子ペーパーに上記指示が入力されると、表２においてインデックス［１］の表示指示に対応する第３電子ペーパーの表示内容がインデックス［１−１］であることに基づき、第１電子ペーパーから第３電子ペーパーに、インデックス［１−１］を表示する指示が送られる。これに従い、第３電子ペーパーの液晶表示デバイス５５では、図１０（Ｃ）に示されるように、インデックス［１−１］に対応する画面が表示される。なお、図１０（Ｂ）に示された画面は、図６の部分７０２に対応する。
【０１０２】
また、第１電子ペーパーに対して、インデックス［２］を表示する指示が入力された場合の表示内容を説明する。
【０１０３】
表２において、インデックス［２］の表示指示に対応する第１電子ペーパーの表示内容は、「しおり」である。これに基づき、当該指示が入力された場合、第１電子ペーパーの液晶表示デバイス５５では、図１１（Ａ）に示されるように、しおりが表示される。
【０１０４】
また、表２において、インデックス［２］の表示指示に対応する第２電子ペーパーの表示内容は、インデックス［２］とインデックス［２−２］である。これに基づき、当該指示が入力された場合、第１電子ペーパーから第２電子ペーパーに対して、インデックス［２］とインデックス［２−２］を合成された画面を表示する指示が送られる。これに応じて、第２電子ペーパーの液晶表示デバイス５５では、図１１（Ｂ）に示されるように、そのような画面が表示される。図１１（Ｂ）に示された画面では、図６の部分７０３と、当該部分７０３中のＵＲＬ（２）に格納されている資料（参照資料（２−２））とが含まれる。
【０１０５】
また、表２において、インデックス［２］の表示指示に対応する第３電子ペーパーの表示内容は、インデックス［２−１］である。これに基づき、当該指示が入力された場合、第１電子ペーパーから第３電子ペーパーに対して、インデックス［２−１］を表示する指示が送られる。これに応じて、第３電子ペーパーの液晶表示デバイス５５では、図１１（Ｃ）に示されるように、そのような画面が表示される。図１１（Ｃ）に示された画面では、図６の部分７０３中のＵＲＬ（１）に格納されている資料（参照資料（２−１））が含まれる。
【０１０６】
以上、図１０および図１１を参照して説明した例では、本文（文書において第１階層の部分）の表示が指示された場合、第２電子ペーパーに当該部分が表示され、そして、第３ペーパーに当該部分が参照する図表や資料が表示されていた。なお、図表や資料の表示が指示された場合に、当該図表や資料が第２電子ペーパーに表示され、そして、当該図表や資料を参照する本文が、第３電子ペーパーに、当該図表や資料に関連する情報として表示されても良い。
【０１０７】
第１電子ペーパーに対して、インデックス［１−１］を表示する指示が入力された場合の表示内容を説明する。
【０１０８】
表２において、インデックス［１−１］の表示指示に対応する第１電子ペーパーの表示内容は、「しおり」である。これに基づき、当該指示が入力された場合、第１電子ペーパーの液晶表示デバイス５５では、図１２（Ａ）に示されるように、しおりが表示される。
【０１０９】
また、表２において、インデックス［１−１］の表示指示に対応する第２電子ペーパーの表示内容は、インデックス［１−１］である。これに基づき、当該指示が入力された場合、第１電子ペーパーから第２電子ペーパーに対して、インデックス［１−１］を表示する指示が送られる。これに応じて、第２電子ペーパーの液晶表示デバイス５５では、図１２（Ｂ）に示されるように、そのような画面が表示される。
【０１１０】
また、表２において、インデックス［１−１］の表示指示に対応する第３電子ペーパーの表示内容は、インデックス［１］である。これに基づき、当該指示が入力された場合、第１電子ペーパーから第３電子ペーパーに対して、インデックス［１］を表示する指示が送られる。これに応じて、第３電子ペーパーの液晶表示デバイス５５では、図１２（Ｃ）に示されるように、そのような画面が表示される。
【０１１１】
図１２（Ｂ）の画面は、図６の部分７０２に対応する。一方、図１２（Ｃ）の画面は、図６の部分７０１に対応する。部分７０２の表示が指示されると、文書表示システムでは、或る電子ペーパーに、部分７０２が表示されるとともに、他の電子ペーパーに、当該部分７０２を参照する本文である部分７０１が表示される。
【０１１２】
＜変形例（１）＞
以上説明した本実施の形態では、文書表示システムにおいて、複数の電子ペーパーを用いた文書の表示が実現される。文書の或る部分の表示が指示されると、或る電子ペーパーでは、当該指示された部分が表示される。そして、他の電子ペーパーに、当該指示された部分と関連する部分が表示される。なお、関連する部分とは、インデックス［１］（図６の部分７０１）に対するインデックス［１−１］（図６の部分７０２）のように、同じ文書内容の部分であっても良いし、インデックス［２］（図６の部分７０３）に対するインデックス［２−１］のように、文書において参照している資料であって文書外の部分であっても良い。
【０１１３】
なお、図１０〜図１２を参照して説明した例では、複数の電子ペーパーの中の少なくとも１つにおいて常にしおりが表示されていた。ただし、本発明に係る文書表示システムでは、このような表示例に限定されない。
【０１１４】
たとえば、表３に、関連情報の他の例を示す。
【０１１５】
【表３】
2012243030.tif 000005
【０１１６】
表３に示された例では、第１電子ペーパーでは、表示指示に対応するインデックスが表示される。そして、表３では、第２電子ペーパーおよび第３電子ペーパーに対して、第１電子ペーパーにおいて表示される部分に関連した表示内容が指定されている。なお、表３では、各電子ペーパーにおいて表示される内容は、文書について生成されたインデックスの他に、「関連情報」が指定されている。関連情報とは、たとえば、第１電子ペーパーにおいて表示を指示された内容から抽出されたキーワードを用いて、ネットワーク上に格納された情報の検索結果とすることができる。
【０１１７】
図１３に、表３に示された関連情報に基づいた表示の例を示す。
第１電子ペーパーに対してインデックス［１］の表示指示がなされた場合、第１電子ペーパーの液晶表示デバイス５５では、図１３（Ａ）に示されるように、インデックス［１］に対応した内容、つまり、図６の部分７０１に対応した内容が表示される。
【０１１８】
表３において、インデックス［１］の表示指示がなされた場合、第２電子ペーパーに表示されるべき内容はインデックス［１−１］である。これに従い、第１電子ペーパーは、第２電子ペーパーに対して、インデックス［１−１］の表示を指示する。これに応じて、第２電子ペーパーの液晶表示デバイス５５では、図１３（Ｂ）に示されるように、インデックス［１−１］に対応した内容、つまり、図６の部分７０２に対応した内容が表示される。
【０１１９】
表３において、インデックス［１］の表示指示がなされた場合、第３電子ペーパーに表示されるべき内容は「関連情報」である。これに従い、第１電子ペーパーは、当該第１電子ペーパーの液晶表示デバイス５５において表示されている内容に対する関連情報をサーバ３等から取得し、第３電子ペーパーに対して、当該取得した内容の表示を指示する。関連情報の取得は、たとえば、上記したように、表示されているテキストや画像からキーワードを取得し、当該キーワードを用いた検索を行ない、その検索結果を取得することにより実現される。そして、これに応じて、第３電子ペーパーの液晶表示デバイス５５では、図１３（Ｃ）に示されるように、上記したような関連情報が表示される。
【０１２０】
＜変形例（２）＞
本実施の形態の文書表示システムでは、インデックス情報を更新することができる。
【０１２１】
たとえば、電子ペーパーにおいて、図１０（Ａ）に示されたしおりの画面に対して、第１章と第２章とを入れ替えるための操作がなされた場合、文書表示システムでは、第１章と第２章が入れ替えられるように、目次情報および関連情報が更新される。
【０１２２】
具体的には、たとえば、まず図１４に示されるように、しおりの画面において、第２章が範囲指定される。図１４では、範囲指定された領域が領域９０１で示されている。そして、当該範囲の移動先が指定される。図１４では、第１章の前が指定された状態が示されている。具体的には、当該指定された位置に、カーソル９０２が示されている。この状態で、当該電子ペーパーに対して入れ替えを決定する操作がなされると、図１５に示されるように、一時的に、入れ替えられた状態が示される。図１５では、図１４において指定された領域９０１の内容が、図１４において指定された位置に移動されて表示されている。
【０１２３】
そして、図１６に示されるように、移動後の章番号等が表示されるように、画面の表示が更新される。図７では、移動前の第２章が第１章として、そして、移動前の第１章が第２章として、表示が改められている。
【０１２４】
これに応じて、当該電子ペーパーでは、関連情報が更新される。
表２の関連情報において、第１章と第２章が入れ替えられた後のものを、表４に示す。
【０１２５】
【表４】
2012243030.tif 000006
【０１２６】
表４では、表２における第１章に対応する内容（インデックス［１］に対応する内容）が、第２章に対応する内容として示されている。また、第２章に対応する内容（インデックス［２］に対応する内容）が、第１章に対応する内容として示されている。
【０１２７】
具体的には、表２のインデックス［１］，［１−１］が、それぞれ、表４ではインデックス［２］，［２−１］に変更されている。また、表２のインデックス［２］，［２−１］，［２−２］が、それぞれ、表４ではインデックス［１］，［１−１］，［１−１］に変更されている。これにより、複数の電子ペーパーにおいて関連して表示される部分同士の関係は変更されることなく、章番号のみが、変更される。
【０１２８】
このような更新がなされると、電子ペーパーは、他の電子ペーパーに、その内容を送信する。これにより、文書表示システムのすべての電子ペーパーにおいて、関連情報が更新される。
【０１２９】
また、電子ペーパーは、このような変更の内容を、ＭＦＰ１００に送信する。これに応じて、ＭＦＰ１００では、関連情報を更新するとともに、目次情報も更新する。表２から表４に関連情報が更新されることに応じて、表１の目次情報は、たとえば表５に示されるように更新される。
【０１３０】
【表５】
2012243030.tif 000007
【０１３１】
表５の目次情報では、表１に対して、第１章と第２章の間で、対応するタイトルやデータ格納場所が入れ替えられるように、目次情報が更新されている。
【０１３２】
＜変形例（３）＞
本実施の形態では、上記のように、複数の電子ペーパーにおいて、互いに関連した内容を表示するように制御される。
【０１３３】
ただし、割り込み処理的に、各電子ペーパーのそれぞれに、ユーザがその時点で表示を希望した情報を表示させることができる。
【０１３４】
たとえば、図１０（Ａ）〜図１０（Ｃ）を参照して説明されたように、第１電子ペーパーに対してインデックス［１］の表示が指示された場合、第１電子ペーパーにはしおりが表示され（図１０（Ａ））、第２電子ペーパーにはインデックス［１］の画面が表示され（図１０（Ｂ））、そして、第３電子ペーパーにはインテックス［１−１］の画面が表示された（図１０（Ｃ））。この状態から、第２電子ペーパーに他の電子ペーパーの表示を変更することなくインデックス［２−１］を表示する指示がなされると、文書表示システムでは、図１７に示されるように、指示された電子ペーパーでのみ表示が変更される。
【０１３５】
図１７（Ａ），図１７（Ｂ），図１７（Ｃ）は、上記指示後の第１，第２，第３電子ペーパーでの表示内容をそれぞれ示す。図１７（Ａ）と図１０（Ａ）に示されるように、第１電子ペーパーでは表示内容の変更はなく、また、図１７（Ｃ）と図１０（Ｃ）に示されるように、第３電子ペーパーでも表示内容に変更はない。そして、図１７（Ｂ）と図１０（Ｂ）から理解されるように、表示内容の変更を指示された第２電子ペーパーでのみ、表示内容が変更されている。
【０１３６】
なお、第１〜第３のいずれかの電子ペーパーに対して、再度連動した表示をするように指示がなされると、関連情報に従った、複数の電子ペーパー間での連動した表示が再開される。
【０１３７】
＜変形例（４）＞
電子ペーパーの表示モードとして、透過、反射、半透過モードの各モードが公知とされている。
【０１３８】
本実施の形態では、すべての電子ペーパーがその位置を検出する手段を備え、１の電子ペーパーが、文書表示システムにおけるすべての電子ペーパーの位置を検出し、或る電子ペーパーの液晶表示デバイス５５が他の電子ペーパーの液晶表示デバイス５５の表示面に交わる方向について重なる位置にした場合には、当該或る電子ペーパーの液晶表示デバイス５５の表示モードを、反射モードや半透過モードから透過モードへと切り替える旨の指示を出すことができる。
【０１３９】
具体的には、図１８（Ａ）および図１８（Ｂ）に示されるように、電子ペーパー１Ａと電子ペーパー１Ｂにおいて表示が行なわれている場合であって、図１９に示されるように、電子ペーパー１Ｂの液晶表示デバイス５５が、電子ペーパー１Ａの液晶表示デバイス５５の表示面の前面に位置した場合には、電子ペーパー１Ｂに対して、液晶表示デバイス５５の表示モードを透過モードに切り替える旨の指示が出される。電子ペーパー１Ｂの表示部６１は、当該指示に応じて、液晶表示デバイス５５の表示モードを透過モードに切り替える。
【０１４０】
この場合、文書表示システムを構成する電子ペーパーの中の１の電子ペーパーがすべての電子ペーパーの位置情報を検出すれば良い。したがって、当該検出をする電子ペーパーが電子ペーパー１Ｂであった場合には、電子ペーパー１Ｂ内で、当該指示がなされる。
【０１４１】
なお、各電子ペーパー１における位置情報の検出は、たとえば、各電子ペーパーが、液晶表示デバイス５５の表示面に沿う平面の位置と当該表示面に垂直な方向の位置とを検出することにより、実現される。
【０１４２】
なお、このような重なりが解除された場合には、表示モードは、再度反射モードや半透過モードに戻されることが好ましい。
【０１４３】
＜変形例（５）＞
以上説明した本実施の形態では、ＭＦＰ１００において、文書の構造解析、目次情報の生成、関連情報の生成がなされたが、本発明に係る文書表示システムでは、これらの処理はＭＦＰ１００で実行される必要はない。
【０１４４】
たとえば、文書に、予めこれらの少なくとも１つの情報が添付されている場合には、システムの構成要素において上記解析や情報の生成が行なわれる必要はない。また、対応する機能を電子ペーパー１に備えさせておいて、これらの処理の少なくとも一部が電子ペーパー１において実行されても良い。たとえば、電子ペーパー１において文書の表示を指示する情報が入力された場合、ＭＦＰ１００において文書の構造解析がなされている場合には、電子ペーパー１には、文書のデータと構造解析の結果が送信される。これに応じて、電子ペーパー１では、目次情報を生成し（図７参照）、関連情報を生成し（図８参照）、関連情報に従って文書のデータを分割し（図８参照）、そして、分割したデータを関連情報に従ってシステム内の他の電子ペーパー１に送信する。
【０１４５】
＜その他の変形例等＞
以上説明した本実施の形態において、ＭＦＰ１００のＲＯＭ２１は、ＭＦＰ１００の本体に対して着脱可能な記憶媒体によって構成されても良い。また、電子ペーパー１のメモリ９も、電子ペーパー１本体に対して着脱可能な記憶媒体によって構成されても良い。記憶媒体としては、ＣＤ−ＲＯＭ（Compact  Disc  -  Read  Only  Memory）、ＤＶＤ−ＲＯＭ（Digital  Versatile  Disk  -  Read  Only  Memory）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read-Only  Memory）などの、不揮発的にプログラムを格納する媒体が挙げられる。
【０１４６】
今回開示された各実施の形態およびその変形例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、各実施の形態および各変形例は、可能な限り、単独でも、組合わせても、実施することを意図される。
【符号の説明】
【０１４７】
１，１Ａ，１Ｂ，１Ｃ  電子ペーパー、３  サーバ、７，２０  ＣＰＵ、１００  ＭＦＰ。
【図１】
2012243030.tif 000008
【図２】
2012243030.tif 000009
【図３】
2012243030.tif 000010
【図４】
2012243030.tif 000011
【図５】
2012243030.tif 000012
【図６】
2012243030.tif 000013
【図７】
2012243030.tif 000014
【図８】
2012243030.tif 000015
【図９】
2012243030.tif 000016
【図１０】
2012243030.tif 000017
【図１１】
2012243030.tif 000018
【図１２】
2012243030.tif 000019
【図１３】
2012243030.tif 000020
【図１４】
2012243030.tif 000021
【図１５】
2012243030.tif 000022
【図１６】
2012243030.tif 000023
【図１７】
2012243030.tif 000024
【図１８】
2012243030.tif 000025
【図１９】
2012243030.tif 000026